(57)【要約】【課題】  本発明はスプレーガンによる被塗装壁の塗装作業においてスプレーノズルから噴出する１色又は複数色のペイントを圧搾空気噴出小孔から噴出する空気膜による強力な外層膜内において塗料を霧化することなく粒太の粒状で効率よく被塗装壁に塗装することを目的とする。【解決手段】  複数の塗料噴出口１，１’を有するノズル２の基部に圧搾空気口３を開口し、上記基部の外周に形成した雄ネジ４に袋ナット５を螺着し、上記袋ナット５の前面５’に複数の圧搾空気噴出小孔６を上記ノズル２の中心線ｃの回りに開口し、かつ上記ノズル２を上記前面５’から前方に突出させてなり、上記噴出小孔６の噴出角αが前方に向って上記中心線ｃとの外周に拡大する方向に傾斜し、かつ中心線ｃの螺旋方向ａにいくらか傾斜βさせてなる塗装装置。【選択図】  図１
2008006317.tif 000002
【特許請求の範囲】
【請求項１】
前方に突出した複数の塗料噴出管を有するノズルの基部に圧搾空気口を開口し、
上記基部の外周に形成した雄ネジに袋ナットを螺着し、
上記袋ナットの前面に複数の圧搾空気噴出小孔を上記ノズルの中心線の回りに開口し、
かつ上記ノズルを上記前面から前方に突出させてなり、
上記噴出小孔の噴出角が前方に向って上記中心線との外周に拡大する方向に傾斜し、かつ中心線の螺旋方向にいくらか傾斜させてなる塗装装置を用い、
上記塗料噴出管から、それぞれ色の異なる塗料と上記噴出小孔からの圧搾空気とを既塗装壁に向って同時に噴出して斑点塗装を行い、
上記既塗装壁の既塗装色が上記複数の塗料の混合色であることを特徴とする壁面塗装法。
【請求項２】
前方に突出した塗料噴出管を有するノズルの基部に圧搾空気口を開口し、
上記基部の外周に形成した雄ネジに袋ナットを螺着し、  
上記袋ナットの前面に複数の圧搾空気噴出小孔を上記ノズルの中心線の回りに開口し、
かつ上記ノズルを上記前面から前方に突出させてなり、
上記噴出小孔の噴出角が前方に向って上記中心線の外周に拡大する方向に傾斜し、かつ中心線の螺旋方向にいくらか傾斜させてなる塗装装置。
【請求項３】
上記塗料噴出管が１個である請求項２記載の塗装装置。
【請求項４】
上記塗料噴出管が少なくとも２個である請求項２記載の塗装装置。
【発明の詳細な説明】
【技術分野】
【０００１】
本発明は建築物のコンクリート壁面に対するペイント塗装方法及び装置に関するものである。
【背景技術】
【０００２】
スプレーガンによる被塗装壁の塗装作業ではスプレーノズルから噴出する１色又は２色以上の塗料（ペイント）が空気中に拡散して被塗装壁の塗装範囲の外周がぼけ、ペイントは空気中に拡散して消費し易く、特にスプレーノズルから被塗装壁までの距離が大である程その傾向が大である。
【０００３】
又スプレーガンによる少なくとも複数色同時塗装による斑点模様塗装には熟練を要し塗装効率を低下させた。
【０００４】
そこで各色ペイント毎に複数の噴射ノズルから各ペイントを噴射し、斑点塗装を行ったがノズルを複数突出し、それぞれに塗料タンクを設け、装置を小型化し得ないという問題があった（例えば特許文献１）
【０００５】
又銀鏡膜を洗浄するため純水によりペイント霧化混合体の周囲を被覆する外層膜を形成し、上記霧化混合体の濡れ性を向上させる技術が開発された（特許文献２）
【０００６】
しかし空気と複数ペイントの霧化混合体の周囲を被覆する上記外層膜を純水で形成する必要があった（例えば特許文献２）。
【０００７】
【特許文献１】特公平９−１９２５４７号
【特許文献２】特開２００３−３４０３２１号
【発明の開示】
【発明が解決しようとする課題】
【０００８】
本発明はスプレーガンによる被塗装壁の塗装作業においてスプレーノズルから噴出する１色又は複数色のペイントを圧搾空気噴出小孔から噴出する空気膜による強力な外層膜内において外側に撥散するおそれがなく水力を要せず効率よく被塗装壁に単一又は斑点塗装することを目的とする。
【課題を解決するための手段】
【０００９】
上記の目的を達成するため本発明は
第１に前方に突出した複数の塗料噴出管を有するノズルの基部に圧搾空気口を開口し、上記基部の外周に形成した雄ネジに袋ナットを螺着し、上記袋ナットの前面に複数の圧搾空気噴出小孔を上記ノズルの中心線の回りに開口し、かつ上記ノズルを上記前面から前方に突出させてなり、上記噴出小孔の噴出角が前方に向って上記中心線との外周に拡大する方向に傾斜し、かつ中心線の螺旋方向にいくらか傾斜させてなる塗装装置を用い、上記塗料噴出管から、それぞれ色の異なる塗料と上記噴出小孔からの圧搾空気とを既塗装壁に向って同時に噴出して斑点塗装を行い、上記既塗装壁の既塗装色が上記複数の塗料の混合色であることを特徴とする壁面塗装法、
第２に前方に突出した塗料噴出管を有するノズルの基部に圧搾空気口を開口し、上記基部の外周に形成した雄ネジに袋ナットを螺着し、上記袋ナットの前面に複数の圧搾空気噴出小孔を上記ノズルの中心線の回りに開口し、かつ上記ノズルを上記前面から前方に突出させてなり、上記噴出小孔の噴出角が前方に向って上記中心線の外周に拡大する方向に傾斜し、かつ中心線の螺旋方向にいくらか傾斜させてなる塗装装置、
第３に上記塗料噴出管が１個である上記第２発明記載の塗装装置。
第４に上記塗料噴出管が少なくとも２個である上記第２発明記載の塗装装置、
によって構成される。
【００１０】
従って、上記噴出小孔から噴出する圧搾空気による外層膜の径が被塗装壁に向って拡大し、かつ該外層膜には旋回方向に回転力が附与されるため外側への飛散が少なく強力かつ比較的遠方に到達させ得て噴出塗料外層膜内においてまとまって被塗装壁面に到達し、上記外層膜の外側に飛散するおそれが少なく塗装することができる。
【００１１】
又２色又は２色以上の噴出塗料は上記外層膜内において斑点塗装される。
【発明の効果】
【００１２】
本発明は上述の塗装法によったので強力な外層膜内にノズルの塗料噴出管から噴出する１色又は複数色のペイントを被塗装壁に効率良く１色又は斑点模様に塗装し得る効果がある。
【発明を実施するための最良の形態】
【００１３】
本体１０の中央部に１個又は２個の塗料圧入管９，９’を挿通し、該中央部において上記１個又は２個のそれぞれに連通する１個又は２個の塗料流出路１１，１１’を上記本体１０に設けた１個のノズル２の先端にそれぞれ前方に延長して１個又は２個の塗料噴出管１，１’を形成する（図６）。
【００１４】
上記ノズル２は図５に示すように大径基部２ａ、中径中程２”及び小径先端部２’よりなり、本体１０と一体に突設されるが、小径先端部２’を省略しても差支えない。
【００１５】
上記大径基部２ａの外周には雄ネジ４を形成し、これに袋ナット５を螺着し、袋ナット５の前面５’に開口した中央透孔５”を上記中径中程２”に嵌合させる。
【００１６】
この状態では図５に示すようにノズル２の上記中径中程２”の前部及び小径先端部２’は袋ナット５の前面５’から前方に突出する。
【００１７】
図６では上記ノズル２の先端面には塗料噴出管１，１’を２個並列して設けられるが１個の塗料噴出管１とすることができる（図示していない）。
【００１８】
上記袋ナット５の前面５’には図３図４に示す複数の圧搾空気噴出小孔６を上記ノズル２の中心線ｃの回りに一定の小開き角毎に開口し、
【００１９】
該小孔６は図５に示すように上記大径基部２ａの前面２ａ’に開口した圧搾空気口３と袋ナット５の内部間隙ｓを介して連通する。
【００２０】
上記噴出小孔６の位置は中心線ｃを中心とする開き約角２０〜４０度程度の位置に均等間隔に配置され、８〜１６程度である。
【００２１】
又上記小孔６の噴出角αは図１及び図５に示すように前方に向って上記中心線ｃの外周に拡大する方向に角α傾斜し、かつ図３に示すように中心線ｃの外周に螺旋方向ａにいくらか（角β：図３）偏位し、中心線ｃの回りを螺旋状に回動することによって回転力のある圧搾空気噴出外層膜１２が形成され（図１）、該外層膜１２を上記小孔６から既塗装壁７に到達させることができる。
【００２２】
そして既塗装壁７に衝接した上記外層膜１２内には上記管１，１’から噴出する１色又は２色の塗料が一色又は斑点状に塗装８される（図２）。
【００２３】
上記既塗装壁７には上記斑点塗装８される以前に該斑点塗装８の２色の混合色による既塗装壁７が形成されていて、
【００２４】
それによって図８に示すように上記斑点８’，８”間に既塗装色７’による「むら７”」を生じても、斑点８’，８”と「むら７”」とが１つの模様として馴染み、外観に違和感を生じない。
【００２５】
尚図中１３で示すものは圧搾空気供給管である。
【産業上の利用可能性】
【００２６】
本発明は上述のように構成したのでスプレーガンによるコンクリート被塗装壁への塗装作業において塗料（ペイント）を目的とする被塗装壁面に上記外層膜の範囲内に効率良く１色又は斑点塗装を行うことが可能である。
【図面の簡単な説明】
【００２７】
【図１】本発明の塗装装置を示す側面図である。
【図２】斑点塗装の正面図である。
【図３】図１を左方から見た外層膜噴出状態の正面図である。
【図４】袋ナットの斜視図である。
【図５】図１の１部切欠縦断面図である。
【図６】図５を左方から見た正面図である。
【図７】（イ）図は図１の横断平面図、（ロ）図は（イ）図の他の実施例の平面図である。
【図８】既塗装壁及び斑点塗装の写真である。
【符号の説明】
【００２８】
１，１’    塗料噴出管
２          ノズル
３          圧搾空気口
４          雄ネジ
５          袋ナット
５’        前面
６          圧搾空気噴出小孔
ｃ          中心線
α          噴出角
ａ          螺旋方向
β          傾斜
７          既塗装壁
８          斑点塗装
【図１】
2008006317.tif 000003
【図２】
2008006317.tif 000004
【図３】
2008006317.tif 000005
【図４】
2008006317.tif 000006
【図５】
2008006317.tif 000007
【図６】
2008006317.tif 000008
【図７】
2008006317.tif 000009
【図８】
2008006317.tif 000010